【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
表示結果が導出される前に、導出が許容される表示結果を決定する事前決定手段と、
遊技者が表示結果を導出させるために操作する導出操作手段と、
表示結果を導出する制御を行う導出制御手段と、
遊技の進行を所定期間にわたり遅延させる遅延状態に制御する遅延状態制御手段と、
特定演出を実行可能な特定演出実行手段と、
を備え、
前記特定演出実行手段は、特定条件が成立したことを条件に、可変表示部に特定表示結果が導出されたときに特定演出を実行可能であり、
前記導出制御手段は、事前決定手段の決定結果が特定結果であるときに、特定操作態様で導出操作手段が操作された場合には特定表示結果を導出可能に制御を行い、特定操作態様以外の操作態様で導出操作手段が操作された場合には特定表示結果以外の表示結果を導出する制御を行い、
事前決定手段の決定結果が特定結果であり可変表示部に特定表示結果が導出されたときに、特定演出が実行されるか否かに関わらず、遅延状態に制御可能とされ、
事前決定手段の決定結果が特定結果であり可変表示部に特定表示結果以外の表示結果が導出されたときに、遅延状態に制御されない、スロットマシン。
【手続補正２】
【補正対象書類名】明細書
【補正対象項目名】０００６
【補正方法】変更
【補正の内容】
【０００６】
上記課題を解決するために、本発明の請求項１に記載のスロットマシンは、
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
表示結果が導出される前に、導出が許容される表示結果を決定する事前決定手段と、
遊技者が表示結果を導出させるために操作する導出操作手段と、
表示結果を導出する制御を行う導出制御手段と、
遊技の進行を所定期間にわたり遅延させる遅延状態に制御する遅延状態制御手段と、
特定演出を実行可能な特定演出実行手段と、
を備え、
前記特定演出実行手段は、特定条件が成立したことを条件に、可変表示部に特定表示結果が導出されたときに特定演出を実行可能であり、
前記導出制御手段は、事前決定手段の決定結果が特定結果であるときに、特定操作態様で導出操作手段が操作された場合には特定表示結果を導出可能に制御を行い、特定操作態様以外の操作態様で導出操作手段が操作された場合には特定表示結果以外の表示結果を導出する制御を行い、
事前決定手段の決定結果が特定結果であり可変表示部に特定表示結果が導出されたときに、特定演出が実行されるか否かに関わらず、遅延状態に制御可能とされ、
事前決定手段の決定結果が特定結果であり可変表示部に特定表示結果以外の表示結果が導出されたときに、遅延状態に制御されない
ことを特徴としている。
本発明の手段１のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）の変動表示を停止することで表示結果を導出し、該表示結果に応じて入賞が発生可能なスロットマシン（スロットマシン１）において、
表示結果が導出される前に、導出が許容される表示結果を決定する事前決定手段（内部抽選）と、
遊技者が表示結果を導出させるために操作する導出操作手段（ストップスイッチ８Ｌ、８Ｃ、８Ｒ）と、
表示結果を導出する制御を行う導出制御手段（メイン制御部４１）と、
遊技の進行を所定期間にわたり遅延させる遅延状態（フリーズ状態）に制御する遅延状態制御手段（メイン制御部４１）と、
特定演出（フリーズ演出）を実行可能な特定演出実行手段（サブ制御部９１）と、
遊技者に対して不利益（ペナルティ期間）を付与する不利益付与手段（サブ制御部９１）と、
を備え、
前記特定演出実行手段は、特定条件（ナビストック抽選に当選してＲＴ２に移行したこと、上乗せ抽選に当選したこと）が成立し、かつ可変表示部に特定表示結果（赤７リプレイ、青７リプレイ）が導出されたときに特定演出（フリーズ演出）を実行可能であり、可変表示部に特定表示結果（赤７リプレイ、青７リプレイ）が導出されても特定条件（ナビストック抽選に当選してＲＴ２に移行したこと、上乗せ抽選に当選したこと）が成立していない場合には特定演出（フリーズ演出）を実行せず、
前記導出制御手段は、事前決定手段（内部抽選）の決定結果が特定結果（通常リプレイ１、通常リプレイ２）であるときに、特定操作態様（中リールまたは右リールを第１停止とする停止順）で導出操作手段が操作された場合には特定表示結果（赤７リプレイ、青７リプレイ）を導出可能に制御を行い、特定操作態様以外の操作態様（左リールを第１停止とする停止順）で導出操作手段が操作されたときには特定表示結果（赤７リプレイ、青７リプレイ）以外の表示結果（中段リプレイ）を導出する制御を行い、
前記遅延状態制御手段は、事前決定手段（内部抽選）の決定結果が特定結果（通常リプレイ１、通常リプレイ２）であり可変表示部に特定表示結果（赤７リプレイ、青７リプレイ）が導出されたときに、特定演出（フリーズ演出）が実行されるか否かに関わらず、遅延状態（フリーズ状態）に制御可能とする一方、事前決定手段（内部抽選）の決定結果が特定結果（通常リプレイ１、通常リプレイ２）であっても可変表示部に特定表示結果（赤７リプレイ、青７リプレイ）以外の表示結果（中段リプレイ）が導出されたときには遅延状態（フリーズ状態）に制御せず、
特定操作態様での導出操作手段の操作が許可されない不許可状態（７ナビが行われていない状態）において事前決定手段（内部抽選）の決定結果が特定結果（通常リプレイ１、通常リプレイ２）であるときに特定操作態様（推奨停止順以外の停止順）で導出操作手段（ストップスイッチ８Ｌ、８Ｃ、８Ｒ）が操作された場合には前記不利益付与手段により不利益（ペナルティ期間）が付与される
ことを特徴としている。
この特徴によれば、特定条件が成立し、かつ可変表示部に特定表示結果が導出されたときに特定演出を実行可能である一方で、可変表示部に特定表示結果が導出されても特定条件が成立していない場合には特定演出が実行されることがなく、特定表示結果が導出される度に特定演出が実行されることがないため、特定演出により遊技者に煩わしさを与えてしまうことを防止できる。
また、可変表示部に特定表示結果が導出されたときには、特定演出が実行されるか否かに関わらず、遅延状態に制御され得るので、特定演出が実行されない場合でも、特定表示結果が導出されたことを遊技者に対して認識させることができる。
また、事前決定手段の決定結果が特定結果であるときに、特定操作態様で導出操作手段が操作された場合には特定表示結果を導出可能となる一方で、特定操作態様以外の操作態様で導出操作手段が操作された場合には特定表示結果以外の表示結果が導出されるとともに、特定操作態様での導出操作手段の操作が許可されない不許可状態においては、事前決定手段の決定結果が特定結果であるときに特定表示結果を導出可能となる特定操作態様で導出操作手段が操作されることで遊技者に対して不利益が付与されることとなるため、不許可状態においては、特定表示結果が導出されることも、遅延状態に制御されることも抑制されるため、不要な遅延状態に制御されることを抑制することができる。
【手続補正３】
【補正対象書類名】明細書
【補正対象項目名】０３１２
【補正方法】変更
【補正の内容】
【０３１２】
７ナビでは、図２１（ｂ）に示すように、サブ制御部９１は、液晶表示器５１に赤７及び青７の画像とともに「７を狙え！」というメッセージＭａ１を表示させる。また、ＲＡＭ９１ｃに設定されている図柄抽選の抽選結果（本実施例では、赤７リプレイ）に基づいて、赤７リプレイまたは青７リプレイを入賞させるための操作態様、すなわち、ＲＡＭ９１ｃに図柄抽選の抽選結果として赤７リプレイを報知する旨が設定されている場合には、当選している通常リプレイ１または通常リプレイ２に応じて赤７リプレイを入賞させるためのストップスイッチ８Ｌ、８Ｃ、８Ｒの操作順序を液晶表示器５１に表示させ、ＲＡＭ９１ｃに図柄抽選の抽選結果として青７リプレイを報知する旨が設定されている場合には、当選している通常リプレイ１または通常リプレイ２に応じて青７リプレイを入賞させるためのストップスイッチ８Ｌ、８Ｃ、８Ｒの操作順序を液晶表示器５１に表示させることで、図柄抽選にて当選した赤７リプレイまたは青７リプレイを入賞させる操作態様でストップスイッチ８Ｌ、８Ｃ、８Ｒが操作されるように促す。
【手続補正４】
【補正対象書類名】明細書
【補正対象項目名】０３８２
【補正方法】変更
【補正の内容】
【０３８２】
前記実施例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例１で賭数として３を設定する場合は、１５個の遊技球を用いて賭数を設定するものに相当する。